(57)【要約】【課題】緊急事態監視システムの起動解除を行える範囲を拡大することができる電話装置および無線電話システムを提供することを目的とする。【解決手段】煙センサーや赤外線センサー等の各種センサーと有線接続または無線接続されているホームセキュリティシステム等の緊急事態監視システム１０２と有線接続または無線接続され、ＰＨＳや携帯電話機等の無線電話装置と無線通信が可能な電話装置１０３であって、無線電話装置からの無線信号を受信する無線信号受信部２０１と、無線信号のレベルを検知して無線信号のレベルと基準値との比較を行う無線信号レベル比較部２０４と、無線信号のレベルが基準値を下回れば緊急事態監視システムを起動し、上回れば緊急事態監視システムを解除する緊急事態監視システム起動解除部２０５とを有する。【選択図】図２
2005151220.tif 000002
【特許請求の範囲】
【請求項１】
煙センサーや赤外線センサー等の各種センサーと有線接続または無線接続されているホームセキュリティシステム等の緊急事態監視システムと有線接続または無線接続され、ＰＨＳや携帯電話機等の無線電話装置と無線通信が可能な電話装置であって、
前記無線電話装置からの無線信号を受信する無線信号受信部と、前記無線信号のレベルを検知して前記無線信号のレベルと基準値との比較を行う無線信号レベル比較部と、前記無線信号のレベルが前記基準値を下回れば前記緊急事態監視システムを起動し、上回れば前記緊急事態監視システムを解除する緊急事態監視システム起動解除部とを有することを特徴とする電話装置。
【請求項２】
煙センサーや赤外線センサー等の各種センサーと有線接続または無線接続されているホームセキュリティシステム等の緊急事態監視システムと有線接続または無線接続された電話装置であって、
外線着信信号からＤＴＭＦ信号を検出するＤＴＭＦ検出部と、前記検出したＤＴＭＦ信号を入力してパスワード照会を行うと共に緊急事態監視システムの起動解除コードを出力する制御部と、前記制御部からパスワード照会を受けてパスワードを参照し、正当なパスワードであれば前記制御部へ認証ＯＫを返す認証部と、前記制御部より起動解除コードを入力して前記起動解除コードを参照し、前記参照の結果により前記緊急事態監視システムへ起動解除信号を出力する緊急事態監視システム起動解除部と、パスワードや前記起動解除コード等の遠隔制御情報を保持し、前記認証部からパスワードを参照すると共に前記緊急事態監視システム起動解除部から前記起動解除コードを参照する遠隔制御情報保持部とを有する電話装置。
【請求項３】
煙センサーや赤外線センサー等の各種センサーと有線接続または無線接続されているホームセキュリティシステム等の緊急事態監視システムと有線接続または無線接続され、クレジットカードやキャッシュカードなどの磁気媒体やＩＣチップ等の記憶素子が埋め込まれたカードから個人情報を読み取る個人情報読み取り装置と接続された電話装置であって、
前記読み取った個人情報を内部登録情報と比較し、前記内部登録情報と一致した場合には前記緊急事態監視システムの起動または解除を自動的に行うことを特徴とする電話装置。
【請求項４】
煙センサーや赤外線センサー等の各種センサーと有線接続または無線接続されているホームセキュリティシステム等の緊急事態監視システムと有線接続または無線接続され、前記緊急事態監視システムを経由してＰＢＸ等の回線接続制御装置と接続された電話装置であって、
前記回線接続制御装置に対して定期的に接続状態確認信号を送出し、前記接続状態確認信号に対する応答信号である接続可信号を受け取ることで前記緊急事態監視システムと回線接続制御装置との間の回線接続状態を確認し、前記接続可信号が帰ってこない場合には前記緊急事態監視システムと回線接続制御装置との間の回線が故意に切断されたと判定して前記緊急事態監視システムを自動的に起動することを特徴とする電話装置。
【請求項５】
煙センサーや赤外線センサー等の各種センサーと有線接続または無線接続されているホームセキュリティシステム等の緊急事態監視システムと有線接続または無線接続された電話装置であって、
前記緊急事態監視システムに対して定期的に接続状態確認信号を送出し、前記接続状態確認信号に対する応答信号である接続可信号を受け取ることで前記緊急事態監視システムとの間の接続線の接続状態を確認し、前記接続可信号が帰ってこない場合には前記緊急事態監視システムとの間の前記接続線が故意に切断されたと判定して前記緊急事態監視システムは起動し、音声アナウンスまたはＬＣＤ表示により切断された旨を報知することを特
徴とする電話装置。
【請求項６】
煙センサーや赤外線センサー等の各種センサーと有線接続または無線接続されているホームセキュリティシステム等の緊急事態監視システムと有線接続または無線接続された電話装置と、前記電話装置と無線通信が可能なＰＨＳや携帯電話機等の無線電話装置とから成る無線電話システムであって、
前記無線電話装置は、電池電圧と基準電圧との比較を行う電池電圧比較部と、前記電池電圧比較部における前記比較の結果を送信する無線信号送受信部とを有し、
前記電話装置は、前記無線電話装置からの前記比較の結果を受信する無線信号送受信部と、前記比較の結果において前記電池電圧が前記基準電圧を下回ったときには前記緊急事態監視システムを起動する起動信号を生成する緊急事態監視システム起動部とを有することを特徴とする無線電話システム。
【請求項７】
煙センサーや赤外線センサー等の各種センサーと有線接続または無線接続されているホームセキュリティシステム等の緊急事態監視システムと有線接続または無線接続された電話装置であって、
筐体の開閉を検知する筐体開放検知部と、前記検知した筐体の開閉を電気信号に変換して基準電圧と比較する電圧比較部と、前記比較の結果が筐体の開状態を示している場合には前記緊急事態監視システムを起動する緊急事態監視システム起動部とを有することを特徴とする電話装置。
【発明の詳細な説明】
【技術分野】
【０００１】
本発明は、ホームセキュリティシステム等の緊急事態監視システムに接続された電話装置、および、その電話装置とその電話装置と無線通信可能な無線電話装置とから成る無線電話システムに関するものである。
【背景技術】
【０００２】
近年、家庭内に配置された複数のセンサを一括して管理するボックス型の緊急事態監視システムが、社会環境の変化に伴って普及し始めている。さらに、この緊急事態監視システムに、一般に広く普及している無線電話装置を組み合わせることで、複数の子機へ緊急事態監視システムからの情報を表示したり、あるいは、子機に緊急通報機能を持たせたりすることによって、緊急事態監視システム活用の利便性の向上がなされている。
【０００３】
例えば親機および各子機には手動で入力できる緊急スイッチが備えられていると、火災や侵入者発見などの緊急事態発生時にはユーザーが身近な親機あるいは子機の緊急スイッチを操作することによって、親機から緊急事態発生の情報を公衆回線を介して伝送し、中央緊急事態センターや警察、消防などの公共緊急事態部門へ緊急事態発生の連絡を自動的に行うことができる。
【０００４】
また子機が監視システムの遠隔制御機能を持つ場合は、例えば庭先で芝刈りや盆栽いじりをする時には、子機を持ち出して、その子機から手動で緊急事態監視システムの起動および起動解除をしたり、あるいは、毎日決まった時間に自動的に起動／起動解除するようにユーザ設定でスケジューリングを行うことができる。
【０００５】
また子機としては、親機のみと通信可能なコードレス電話機の子機だけではなく、ＰＨＳや携帯電話機等の公衆網に接続可能で、使用者が常に携帯しているような無線端末であっても良い。親機にこのような無線端末の信号を受信する機能を持たせれば、いざという時に使用者が常に携帯している無線端末において緊急操作を行うことにより、素早く緊急通報を行う事ができる。また外出先からは公衆網を介して家屋内の状況をモニタできるようにすることもできる。
【０００６】
特許文献１には、緊急通報の発信をする場合には、圏外の場合や発信規制中の場合でもできる限り発信可能とし、発信中においては受信状態が劣化したときに切れ難くすることにより、緊急通報を優先させて発信を行なえるようにする点が記載されている。また発信規制中には緊急通報の情報を付加して発信処理をするので、迅速且つ確実に通報を達成できるようにしている。
【０００７】
特許文献２には、コ−ドレス電話機の放射電波の電界強度を常時監視し、電界強度が設定レベル以下になつたときには、通話経路に音源を接続して圏外通知音を送出することが開示されている。
【０００８】
特許文献３には、車両において緊急事態が発生した場合に、車両の位置が移動体通信網の通信圏内であつた場合には通報信号を携帯電話機を通じて救援センタ−へ送信し、自車両の位置が移動体通信網の通信圏外であつた場合には、通報信号を特定の周波数帯域を利用した送受信装置を通じて所定距離範囲の領域に送信することにより、車両が移動体通信ネツトワ−クの通信圏外にあるときでも確実に通報信号を送信できるようにしたものが開示されている。
【特許文献１】特開２００１−２６８６４０号公報
【特許文献２】特開平０５−２１９１５４号公報
【特許文献３】特開２００１−２１６５８８号公報
【発明の開示】
【発明が解決しようとする課題】
【０００９】
無線電話装置の子機によって緊急事態監視システムの遠隔制御装置をする場合、例えば庭先で庭仕事をしていて、急に思い立って近所に出かける場合など、手動により緊急事態監視システムの起動／起動解除をするものではつい操作を忘れてしまうことが考えられる。また緊急事態監視システムへの過信と油断から却って盗難に遭ってしまうこともあり得る。
【００１０】
この電話装置および無線電話システムでは、緊急事態監視システムの起動解除を遠い場所からでも行える（つまり緊急事態監視システムの起動解除を行える範囲を拡大する）ことが要求されている。
【００１１】
本発明は、この要求を満たすため、緊急事態監視システムの起動解除を行える範囲を拡大することができる電話装置、および、緊急事態監視システムの起動解除を行える範囲を拡大することができる無線電話システムを提供することを目的とする。
【課題を解決するための手段】
【００１２】
上記課題を解決するために本発明の電話装置は、煙センサーや赤外線センサー等の各種センサーと有線接続または無線接続されているホームセキュリティシステム等の緊急事態監視システムと有線接続または無線接続され、ＰＨＳや携帯電話機等の無線電話装置と無線通信が可能な電話装置であって、無線電話装置からの無線信号を受信する無線信号受信部と、無線信号のレベルを検知して無線信号のレベルと基準値との比較を行う無線信号レベル比較部と、無線信号のレベルが基準値を下回れば緊急事態監視システムを起動し、上回れば緊急事態監視システムを解除する緊急事態監視システム起動解除部とを有する構成を備えている。
【００１３】
これにより、緊急事態監視システムの起動解除を行える範囲を拡大することができる電話装置が得られる。
【００１４】
上記課題を解決するために本発明の無線電話システムは、煙センサーや赤外線センサー等の各種センサーと有線接続または無線接続されているホームセキュリティシステム等の緊急事態監視システムと有線接続または無線接続された電話装置と、電話装置と無線通信が可能なＰＨＳや携帯電話機等の無線電話装置とから成る無線電話システムであって、無線電話装置は、電池電圧と基準電圧との比較を行う電池電圧比較部と、電池電圧比較部における比較の結果を送信する無線信号送受信部とを有し、電話装置は、無線電話装置からの比較の結果を受信する無線信号送受信部と、比較の結果において電池電圧が基準電圧を下回ったときには緊急事態監視システムを起動する起動信号を生成する緊急事態監視システム起動部とを有する構成を備えている。
【００１５】
これにより、緊急事態監視システムの起動解除を行える範囲を拡大することができる無線電話システムが得られる。
【発明の効果】
【００１６】
本発明の電話装置は、煙センサーや赤外線センサー等の各種センサーと有線接続または無線接続されているホームセキュリティシステム等の緊急事態監視システムと有線接続または無線接続され、ＰＨＳや携帯電話機等の無線電話装置と無線通信が可能な電話装置であって、無線電話装置からの無線信号を受信する無線信号受信部と、無線信号のレベルを
検知して無線信号のレベルと基準値との比較を行う無線信号レベル比較部と、無線信号のレベルが基準値を下回れば緊急事態監視システムを起動し、上回れば緊急事態監視システムを解除する緊急事態監視システム起動解除部とを有することにより、一般的に普及している通信範囲の広いＰＨＳや携帯電話機等の無線電話装置の電波を検出することで緊急事態監視システムの起動や解除を自動的に行うことができ、緊急事態監視システムの起動解除を行える範囲を拡大することができ、また外出時には緊急事態監視システムを自動的に起動し、帰宅時には自動的に解除させることができるという有利な効果が得られる。
【００１７】
さらに、煙センサーや赤外線センサー等の各種センサーと有線接続または無線接続されているホームセキュリティシステム等の緊急事態監視システムと有線接続または無線接続された電話装置であって、外線着信信号からＤＴＭＦ信号を検出するＤＴＭＦ検出部と、検出したＤＴＭＦ信号を入力してパスワード照会を行うと共に緊急事態監視システムの起動解除コードを出力する制御部と、制御部からパスワード照会を受けてパスワードを参照し、正当なパスワードであれば制御部へ認証ＯＫを返す認証部と、制御部より起動解除コードを入力して起動解除コードを参照し、参照の結果により緊急事態監視システムへ起動解除信号を出力する緊急事態監視システム起動解除部と、パスワードや起動解除コード等の遠隔制御情報を保持し、認証部からパスワードを参照すると共に緊急事態監視システム起動解除部から起動解除コードを参照する遠隔制御情報保持部とを有することにより、外出先から自宅へ電話をかけ、正当なパスワードを入力することで緊急事態監視システムを遠隔操作して起動または解除することができるという有利な効果が得られる。
【００１８】
さらに、煙センサーや赤外線センサー等の各種センサーと有線接続または無線接続されているホームセキュリティシステム等の緊急事態監視システムと有線接続または無線接続され、クレジットカードやキャッシュカードなどの磁気媒体やＩＣチップ等の記憶素子が埋め込まれたカードから個人情報を読み取る個人情報読み取り装置と接続された電話装置であって、読み取った個人情報を内部登録情報と比較し、内部登録情報と一致した場合には緊急事態監視システムの起動または解除を自動的に行うことにより、ユーザーが無線電話装置を持っていない場合や、持っていても電池切れ等で使えない場合に、クレジットカードやキャッシュカードで緊急事態監視システムの起動または解除を行うことが出来るという有利な効果が得られる。
【００１９】
さらに、煙センサーや赤外線センサー等の各種センサーと有線接続または無線接続されているホームセキュリティシステム等の緊急事態監視システムと有線接続または無線接続され、緊急事態監視システムを経由してＰＢＸ等の回線接続制御装置と接続された電話装置であって、回線接続制御装置に対して定期的に接続状態確認信号を送出し、接続状態確認信号に対する応答信号である接続可信号を受け取ることで緊急事態監視システムと回線接続制御装置との間の回線接続状態を確認し、接続可信号が帰ってこない場合には緊急事態監視システムと回線接続制御装置との間の回線が故意に切断されたと判定して緊急事態監視システムを自動的に起動することにより、不法侵入者等により緊急事態監視システムと回線接続制御装置（たとえばコールセンター）との間の通信が破壊されたときに緊急事態監視システムを自動的に起動することができるという有利な効果が得られる。
【００２０】
さらに、煙センサーや赤外線センサー等の各種センサーと有線接続または無線接続されているホームセキュリティシステム等の緊急事態監視システムと有線接続または無線接続された電話装置であって、緊急事態監視システムに対して定期的に接続状態確認信号を送出し、接続状態確認信号に対する応答信号である接続可信号を受け取ることで緊急事態監視システムとの間の接続線の接続状態を確認し、接続可信号が帰ってこない場合には緊急事態監視システムとの間の接続線が故意に切断されたと判定して、音声アナウンスまたはＬＣＤ表示により切断された旨を報知することにより、接続状態確認信号が一定期間こないときには緊急事態監視システムが自動的に起動するようにすれば、不法侵入者等により
緊急事態監視システムと電話装置との間の通信が破壊されたときに緊急事態監視システムを自動的に起動することができるという有利な効果が得られる。
【００２１】
さらに、煙センサーや赤外線センサー等の各種センサーと有線接続または無線接続されているホームセキュリティシステム等の緊急事態監視システムと有線接続または無線接続された電話装置と、電話装置と無線通信が可能なＰＨＳや携帯電話機等の無線電話装置とから成る無線電話システムであって、無線電話装置は、電池電圧と基準電圧との比較を行う電池電圧比較部と、電池電圧比較部における比較の結果を送信する無線信号送受信部とを有し、電話装置は、無線電話装置からの比較の結果を受信する無線信号送受信部と、比較の結果において電池電圧が基準電圧を下回ったときには緊急事態監視システムを起動する起動信号を生成する緊急事態監視システム起動部とを有することにより、緊急事態監視システム及びコールセンターへの緊急通報装置である無線電話装置の電池の消耗により緊急事態監視システムの起動が出来なくなるという危険な事態を防ぐことができるという有利な効果が得られる。
【００２２】
さらに、煙センサーや赤外線センサー等の各種センサーと有線接続または無線接続されているホームセキュリティシステム等の緊急事態監視システムと有線接続または無線接続された電話装置であって、筐体の開閉を検知する筐体開放検知部と、検知した筐体の開閉を電気信号に変換して基準電圧と比較する電圧比較部と、比較の結果が筐体の開状態を示している場合には緊急事態監視システムを起動する緊急事態監視システム起動部とを有することにより、不法侵入者等による筐体のこじ開けを検知することで自動的に緊急事態監視システムを起動することができるという有利な効果が得られる。
【発明を実施するための最良の形態】
【００２３】
本発明は、緊急事態監視システムの起動解除を行える範囲を拡大するという目的を、従来の子機に代えてＰＨＳや携帯電話機等の無線電話装置を利用することで実現した。
【００２４】
上記課題を解決するためになされた第１の発明は、煙センサーや赤外線センサー等の各種センサーと有線接続または無線接続されているホームセキュリティシステム等の緊急事態監視システムと有線接続または無線接続され、ＰＨＳや携帯電話機等の無線電話装置と無線通信が可能な電話装置であって、無線電話装置からの無線信号を受信する無線信号受信部と、無線信号のレベルを検知して無線信号のレベルと基準値との比較を行う無線信号レベル比較部と、無線信号のレベルが基準値を下回れば緊急事態監視システムを起動し、上回れば緊急事態監視システムを解除する緊急事態監視システム起動解除部とを有することとしたものであり、一般的に普及している通信範囲の広いＰＨＳや携帯電話機等の無線電話装置の電波を検出することで緊急事態監視システムの起動や解除を自動的に行うことができ、緊急事態監視システムの起動解除を行える範囲を拡大することができ、また外出時には緊急事態監視システムを自動的に起動し、帰宅時には自動的に解除させることができるという作用・効果を有する。
【００２５】
上記課題を解決するためになされた第２の発明は、煙センサーや赤外線センサー等の各種センサーと有線接続または無線接続されているホームセキュリティシステム等の緊急事態監視システムと有線接続または無線接続された電話装置であって、外線着信信号からＤＴＭＦ信号を検出するＤＴＭＦ検出部と、検出したＤＴＭＦ信号を入力してパスワード照会を行うと共に緊急事態監視システムの起動解除コードを出力する制御部と、制御部からパスワード照会を受けてパスワードを参照し、正当なパスワードであれば制御部へ認証ＯＫを返す認証部と、制御部より起動解除コードを入力して起動解除コードを参照し、参照の結果により緊急事態監視システムへ起動解除信号を出力する緊急事態監視システム起動解除部と、パスワードや起動解除コード等の遠隔制御情報を保持し、認証部からパスワードを参照すると共に緊急事態監視システム起動解除部から起動解除コードを参照する遠隔
制御情報保持部とを有することとしたものであり、外出先から自宅へ電話をかけ、正当なパスワードを入力することで緊急事態監視システムを遠隔操作して起動または解除することができるという作用・効果を有するものである。
【００２６】
上記課題を解決するためになされた第３の発明は、煙センサーや赤外線センサー等の各種センサーと有線接続または無線接続されているホームセキュリティシステム等の緊急事態監視システムと有線接続または無線接続され、クレジットカードやキャッシュカードなどの磁気媒体やＩＣチップ等の記憶素子が埋め込まれたカードから個人情報を読み取る個人情報読み取り装置と接続された電話装置であって、読み取った個人情報を内部登録情報と比較し、内部登録情報と一致した場合には緊急事態監視システムの起動または解除を自動的に行うこととしたものであり、ユーザーが無線電話装置を持っていない場合や、持っていても電池切れ等で使えない場合に、クレジットカードやキャッシュカードで緊急事態監視システムの起動または解除を行うことが出来るという作用・効果を有する。
【００２７】
上記課題を解決するためになされた第４の発明は、煙センサーや赤外線センサー等の各種センサーと有線接続または無線接続されているホームセキュリティシステム等の緊急事態監視システムと有線接続または無線接続され、緊急事態監視システムを経由してＰＢＸ等の回線接続制御装置と接続された電話装置であって、回線接続制御装置に対して定期的に接続状態確認信号を送出し、接続状態確認信号に対する応答信号である接続可信号を受け取ることで緊急事態監視システムと回線接続制御装置との間の回線接続状態を確認し、接続可信号が帰ってこない場合には緊急事態監視システムと回線接続制御装置との間の回線が故意に切断されたと判定して緊急事態監視システムを自動的に起動することとしたものであり、不法侵入者等により緊急事態監視システムと回線接続制御装置（たとえばコールセンター）との間の通信が破壊されたときに緊急事態監視システムを自動的に起動することができるという作用・効果を有する。
【００２８】
上記課題を解決するためになされた第５の発明は、煙センサーや赤外線センサー等の各種センサーと有線接続または無線接続されているホームセキュリティシステム等の緊急事態監視システムと有線接続または無線接続された電話装置であって、緊急事態監視システムに対して定期的に接続状態確認信号を送出し、接続状態確認信号に対する応答信号である接続可信号を受け取ることで緊急事態監視システムとの間の接続線の接続状態を確認し、接続可信号が帰ってこない場合には緊急事態監視システムとの間の接続線が故意に切断されたと判定して緊急事態監視システムは起動し、音声アナウンスまたはＬＣＤ表示により切断された旨を報知することとしたものであり、接続状態確認信号が一定期間こないときには緊急事態監視システムが自動的に起動するようにすれば、不法侵入者等により緊急事態監視システムと電話装置との間の通信が破壊されたときに緊急事態監視システムを自動的に起動することができるという作用・効果を有する。
【００２９】
上記課題を解決するためになされた第６の発明は、煙センサーや赤外線センサー等の各種センサーと有線接続または無線接続されているホームセキュリティシステム等の緊急事態監視システムと有線接続または無線接続された電話装置と、電話装置と無線通信が可能なＰＨＳや携帯電話機等の無線電話装置とから成る無線電話システムであって、無線電話装置は、電池電圧と基準電圧との比較を行う電池電圧比較部と、電池電圧比較部における比較の結果を送信する無線信号送受信部とを有し、電話装置は、無線電話装置からの比較の結果を受信する無線信号送受信部と、比較の結果において電池電圧が基準電圧を下回ったときには緊急事態監視システムを起動する起動信号を生成する緊急事態監視システム起動部とを有することとしたものであり、緊急事態監視システム及びコールセンターへの緊急通報装置である無線電話装置の電池の消耗により緊急事態監視システムの起動が出来なくなるという危険な事態を防ぐことができるという作用・効果を有する。
【００３０】
上記課題を解決するためになされた第７の発明は、煙センサーや赤外線センサー等の各種センサーと有線接続または無線接続されているホームセキュリティシステム等の緊急事態監視システムと有線接続または無線接続された電話装置であって、筐体の開閉を検知する筐体開放検知部と、検知した筐体の開閉を電気信号に変換して基準電圧と比較する電圧比較部と、比較の結果が筐体の開状態を示している場合には緊急事態監視システムを起動する緊急事態監視システム起動部とを有することとしたものであり、不法侵入者等による筐体のこじ開けを検知することで自動的に緊急事態監視システムを起動することができるという作用・効果を有する。
【００３１】
（実施の形態１）
図１は、本発明の実施の形態１による電話装置を有する無線電話システムと緊急事態監視システムとを示すブロック図である。
【００３２】
図１において、１０１は無線電話システム、１０２は無線電話システム１０１と有線接続および無線接続された緊急事態監視システム、１０３は電話装置、１０４は電話装置１０３と無線接続されたＰＨＳや携帯電話機等の無線電話装置、１０５は緊急事態監視システム制御装置、１０６は緊急事態監視システム制御装置１０５と有線接続または無線接続されたセンサー、１０７は緊急事態監視システム制御装置１０５と接続された公衆回線網である。電話装置１０３は、緊急事態監視システム１０５と有線接続および無線接続されており、且つＰＨＳや携帯電話機等の無線電話装置１０４と無線通信を行うことができる。緊急事態監視システム１０５は、煙センサーや赤外線センサー等の各種センサー１０６と無線接続または有線接続されており、且つ公衆回線網１０７を経由して医療・防犯・防災等の各種コールセンターへ有線接続されている。
【００３３】
図２は、図１の電話装置１０３を示すブロック図である。
【００３４】
図２において、２０１は無線信号受信部、２０２は無線信号正当性検証部、２０３は無線電話装置１０４の識別情報が登録されている記憶部、２０４は無線信号レベル比較部、２０５は緊急事態監視システム起動解除部である。
【００３５】
このように構成された電話装置１０３について、その動作を説明する。
【００３６】
無線信号受信部２０１が無線電話装置１０４の無線信号を受信すると、無線信号正当性検証部２０２は、当該無線信号が記憶部２０３に登録されている識別情報と一致するか否かを検証し、一致しなければ緊急事態監視システム１０２の制御は一切行わないが、一致する場合は無線信号レベル比較部２０４へ処理を渡す。無線信号レベル比較部２０４は、記憶部２０３の識別情報を参照し、当該無線信号レベルがオンレベルを下回れば緊急事態監視システムの起動信号を、オフレベルを上回れば解除信号を緊急事態監視システム起動解除部２０５へ送出する。緊急事態監視システム起動解除部２０５は、無線信号レベル比較部２０４からの起動信号または解除信号を緊急事態監視システム１０２へ有線接続または無線接続のそれぞれに適した接続形態で送出する。
【００３７】
（表１）に、記憶部２０３内に登録された無線電話装置１０４の識別情報の例を示す。
【００３８】
【表１】
2005151220.tif 000003
【００３９】
識別情報は、例のように登録Ｎｏ．（登録番号）、ＰＨＳか携帯電話機かの種別、電話番号（Ｐｈｏｎｅ  Ｎｕｍｂｅｒ）、緊急事態監視システムを起動させるオンレベル（ＯＮレベル）、解除させるオフレベル（ＯＦＦレベル）を含む。（表１）に示すように、小さな子供や老人が持つ無線電話装置の登録情報には、オンレベルのみ設定してオフレベルは非対応とすることもできる。
【００４０】
以上のように本実施の形態によれば、無線電話装置１０４からの無線信号を受信する無線信号受信部２０１と、無線信号のレベルを検知して無線信号のレベルと基準値との比較を行う無線信号レベル比較部２０４と、無線信号のレベルが基準値を下回れば緊急事態監視システム１０２を起動し、上回れば緊急事態監視システム１０２を解除する緊急事態監視システム起動解除部２０５とを有することにより、一般的に普及している通信範囲の広いＰＨＳや携帯電話機等の無線電話装置１０４の電波を検出することで緊急事態監視システム１０２の起動や解除を自動的に行うことができ、緊急事態監視システム１０２の起動解除を行える範囲を拡大することができ、また外出時には緊急事態監視システム１０２を自動的に起動し、帰宅時には自動的に解除させることができる。
【００４１】
（実施の形態２）
図３（ａ）は本発明の実施の形態２による電話装置を示す構成図、図３（ｂ）は本発明の実施の形態２による電話装置を示すブロック図である。
【００４２】
図３において、緊急事態監視システム１０２、電話装置１０３、公衆回線１０７は図１と同様のものなので、同一符号を付し、説明は省略する。３０１はＤＴＭＦ信号を送信することの出来る電話装置、３０２は電話装置１０３内部の処理装置、３０３はＤＴＭＦ検出部、３０４は制御部、３０５は認証部、３０６は遠隔制御情報保持部、３０７は緊急事態監視システム起動解除部である。
【００４３】
図３（ａ）において、ユーザーは、電話装置３０１からパスワードや起動解除コードを入力することで、緊急事態監視システム１０２の起動解除を遠隔制御することができる。パスワードや起動解除コードは電話装置３０１から公衆回線網１０７や緊急事態監視システム１０２を経由して電話装置１０３へ送信される。
【００４４】
次に、図３（ｂ）を用いて動作を説明する。
【００４５】
緊急事態監視システム１０２を経由して外線着信があると、ＤＴＭＦ検出部３０３は、当該着信信号（外線着信信号）からＤＴＭＦ信号を検出し、制御部３０４へ渡す。制御部３０４は、当該ＤＴＭＦ信号からパスワードを抽出し、認証部３０５へパスワードの照会を行う。パスワードが正当でない場合は遠隔制御は拒否されるが、正当な場合はユーザーが入力した起動解除コードを緊急事態監視システム起動解除部３０７へ渡す。認証部３０
５は、制御部３０４からパスワードの照会を受け、遠隔制御情報保持部３０６内の遠隔制御情報のパスワードの参照を行い、入力されたパスワードが登録されていれば制御部３０４へ認証ＯＫを返し、登録されていなければ認証ＮＧを返す。緊急事態監視システム起動解除部３０７は、認証ＯＫの時のみ制御部３０４より起動解除コードを受け取り、遠隔制御情報保持部３０６内の遠隔制御情報の起動解除コードを参照し、起動解除コードに従い、緊急事態監視システム１０２へ起動解除信号を送出する。（表２）、（表３）に、遠隔制御情報保持部３０６に保持されている遠隔制御情報の例を示す。遠隔制御情報として、パスワードや起動解除コード等が保持されている。
【００４６】
【表２】
2005151220.tif 000004
【００４７】
【表３】
2005151220.tif 000005
【００４８】
以上のように本実施の形態によれば、外線着信信号からＤＴＭＦ信号を検出するＤＴＭＦ検出部３０３と、検出したＤＴＭＦ信号を入力してパスワード照会を行うと共に緊急事態監視システム１０２の起動解除コードを出力する制御部３０４と、制御部３０４からパスワード照会を受けてパスワードを参照し、正当なパスワードであれば制御部３０４へ認証ＯＫを返す認証部３０５と、制御部３０４より起動解除コードを入力して起動解除コードを参照し、参照の結果により緊急事態監視システム１０２へ起動解除信号を出力する緊急事態監視システム起動解除部３０７と、パスワードや起動解除コード等の遠隔制御情報を保持し、認証部３０５からパスワードを参照すると共に緊急事態監視システム起動解除部３０７から起動解除コードを参照する遠隔制御情報保持部３０６とを有することにより、外出先から自宅へ電話をかけ、正当なパスワードを入力することで緊急事態監視システム１０２を遠隔操作して起動または解除することができる。
【００４９】
（実施の形態３）
図４は、本発明の実施の形態３による電話装置を示す構成図である。
【００５０】
図４において、緊急事態監視システム１０２、電話装置１０３は図１と同様のものなので、同一符号を付し、説明は省略する。４０１はＩＣチップや磁気媒体により所有者の個人情報が保持されているクレジットカードやキャッシュカード等の個人情報保持カードである。ここで個人情報には所有者の氏名や住所、電話番号等が含まれる。４０２は個人情報保持カード４０１の読み取り装置（個人情報読み取り装置）である。ユーザーが個人情報保持カード４０１を読み取り装置４０２に通すと、読み取り装置４０２は、個人情報が含まれるカード情報を電話装置１０３へ有線または無線にて送信する。電話装置１０３では、当該個人情報が登録済みの場合は、緊急事態監視システム１０２が起動済みの場合は
解除し、緊急事態監視システム１０２が解除されている場合は起動する。当該個人情報が未登録の場合には起動および解除は一切行われない。
【００５１】
以上のように本形態の形態によれば、緊急事態監視システム１０２と有線接続または無線接続され、クレジットカードやキャッシュカード等の磁気媒体や記憶素子が埋め込まれたカードから個人情報を読み取る個人情報読み取り装置４０２と接続された電話装置１０３であって、読み取った個人情報を内部登録情報と比較し、内部登録情報と一致した場合には緊急事態監視システム１０２の起動または解除を自動的に行うことにより、ユーザーが無線電話装置を持っていない場合や、持っていても電池切れ等で使えない場合に、クレジットカードやキャッシュカードで緊急事態監視システム１０２の起動または解除を行うことが出来る。
【００５２】
（実施の形態４）
図５は、本発明の実施の形態４による電話装置を示す構成図である。
【００５３】
図５において、１０２は図１と同様の緊急事態監視システム、１０３は図１と同様の電話装置、５０１は電話交換機や構内電話回線におけるＰＢＸ等の回線接続制御装置である。
【００５４】
このように構成された電話装置１０３について、その動作を図６を用いて説明する。図６は電話装置１０３と回線接続制御装置５０１とのやり取りを示すシーケンス図である。
【００５５】
電話装置１０３は、有線または無線にて緊急事態監視システム１０２を経由し、有線にて回線接続制御装置５０１へ定期的に接続状態確認信号を送信する（Ｓ１、Ｓ３）。回線接続制御装置５０１は、当該接続状態確認信号を受け取ったら、接続可信号を電話装置へ送り返す（Ｓ２）。もし一定時間当該接続可信号が戻ってこない場合は（Ｓ４）、電話装置１０３は、緊急事態監視システム１０２と回線接続制御装置５０１との間の有線が、故障または不法侵入者による故意により切断されたと判定し、直ちに緊急事態監視システム１０２へ起動信号を送出し起動させる（Ｓ５）。緊急事態監視システム１０２は、起動が正常に行われた場合には起動完了メッセージを電話装置１０３へ送信する（Ｓ６）。
【００５６】
以上のように本実施の形態４によれば、緊急事態監視システム１０２と有線接続または無線接続され、緊急事態監視システム１０２を経由してＰＢＸ等の回線接続制御装置５０１と接続された電話装置１０３であって、回線接続制御装置５０１に対して定期的に接続状態確認信号を送出し、接続状態確認信号に対する応答信号である接続可信号を受け取ることで緊急事態監視システム１０２と回線接続制御装置５０１との間の回線接続状態を確認し、接続可信号が帰ってこない場合には緊急事態監視システム１０２と回線接続制御装置５０１との間の回線が故意に切断されたと判定して緊急事態監視システム１０２を自動的に起動することにより、不法侵入者等により緊急事態監視システム１０２と回線接続制御装置（たとえばコールセンター）５０１との間の通信が破壊されたときに緊急事態監視システム１０２を自動的に起動することができる。
【００５７】
（実施の形態５）
図７は、本発明の実施の形態５による電話装置を示す構成図である。
【００５８】
図７において、１０２は図１と同様の緊急事態監視システム、１０３は本実施の形態による電話装置である。緊急事態監視システム１０２と電話装置１０３とは有線で接続されている。
【００５９】
このように構成、接続された電話装置について、その動作を図８を用いて説明する。図
８は図７の電話装置１０３の動作を示すシーケンス図である。
【００６０】
電話装置１０３は、定期的に緊急事態監視システム１０２へ接続状態確認信号を送信する（Ｓ１１）。緊急事態監視システム１０２は、当該接続状態確認信号を受信すると直ちに接続可信号を電話装置１０３へ送信する（Ｓ１２）。もし、一定時間、緊急事態監視システム１０２に接続状態確認信号が届かない場合（Ｓ１３）および一定時間、電話装置１０３へ接続可信号が届かない場合（Ｓ１４）、緊急事態監視システム１０２は独自に判断して緊急事態監視状態へ移行し（Ｓ１５）、電話装置１０３は独自に判断して緊急事態監視システム１０２が緊急事態監視状態へ移行したことを視覚的または音響的に表示またはアナウンスする（Ｓ１６）。
【００６１】
以上のように本実施の形態によれば、緊急事態監視システム１０２に対して定期的に接続状態確認信号を送出し、接続状態確認信号に対する応答信号である接続可信号を受け取ることで緊急事態監視システム１０２との間の接続線の接続状態を確認し、接続可信号が帰ってこない場合には緊急事態監視システム１０２との間の接続線が故意に切断されたと判定して、音声アナウンスまたはＬＣＤ表示により切断された旨を報知することにより、接続状態確認信号が一定期間こないときには緊急事態監視システム１０２が自動的に起動するようにすれば、不法侵入者等により緊急事態監視システム１０２と電話装置１０３との間の通信が破壊されたときに緊急事態監視システム１０２を自動的に起動することができる。
【００６２】
（実施の形態６）
図９は本発明の実施の形態６による無線電話システムを示す回路図である。無線電話システムは電話装置１０３と無線電話装置１０４とから成り、無線電話装置１０４は電話装置１０３を介して緊急事態監視システム１０２に接続される。
【００６３】
図９において、７０１は無線電話装置１０４の内蔵電池７０３の電池電圧と基準電圧発生部７０４の基準電圧とを比較する電圧比較回路、７０２は無線電話装置１０４の無線信号送受信部、７０５は電話装置１０３の無線信号送受信部、７０６は緊急事態監視システム１０２を起動する緊急事態監視システム起動部である。
【００６４】
このように構成された無線電話システムについて、その動作を説明する。
【００６５】
電圧比較回路７０１は、内蔵電池７０３の電池電圧を基準電圧発生部７０４の基準電圧と比較し、下回った場合は比較信号を無線信号送受信部７０２へ送出する。当該比較信号は無線信号送受信部７０２により無線接続にて電話装置１０３の無線信号送受信部７０５を経由し、緊急事態監視システム起動部７０６へ送出され、緊急事態監視システム起動部７０４は緊急事態監視システム１０２を起動する。
【００６６】
以上のように本実施の形態６によれば、緊急事態監視システム１０２と有線接続または無線接続された電話装置１０３と、電話装置１０３と無線通信が可能なＰＨＳや携帯電話機等の無線電話装置１０４とから成る無線電話システムであって、無線電話装置１０４は、電池電圧と基準電圧との比較を行う電池電圧比較部７０１と、電池電圧比較部７０１における比較の結果を送信する無線信号送受信部７０２とを有し、電話装置１０３は、無線電話装置１０４からの比較の結果を受信する無線信号送受信部７０５と、比較の結果において電池電圧が基準電圧を下回ったときには緊急事態監視システム１０２を起動する起動信号を生成する緊急事態監視システム起動部７０６とを有することにより、緊急事態監視システム１０２及びコールセンターへの緊急通報装置である無線電話装置１０４の電池の消耗により緊急事態監視システム１０２の起動が出来なくなるという危険な事態を防ぐことができる。
【００６７】
（実施の形態７）
図１０は本発明の実施の形態７による電話装置１０３を示す外形図であり、図１１は本発明の実施の形態７による電話装置１０３を示す回路図である。電話装置１０３は緊急事態監視システム１０２と接続されている。
【００６８】
図８において、８０１は筐体開放検知部、８０２は電話装置１０３の第１の筐体、８０３は電話装置１０３の第２の筐体、８０４は筐体開放検知部８０１の開閉を電気信号に変換する電気信号変換部、８０５は緊急事態監視システム１０２を起動する緊急事態監視システム起動部、８０６は基準電圧を発生する基準電圧発生部、８０７は一方が電源端子に接続され、他方がノード８０９に接続された抵抗器、８０８はノード８０９における発生電圧（ノード電圧）ａと基準電圧発生部８０６の基準電圧ｂとを比較する電圧比較回路である。
【００６９】
このように構成された電話装置について、その動作等を説明する。
【００７０】
図１０において、筐体開放検知部８０１はＰＣＢ（Ｐｒｉｎｔｅｄ  Ｃｉｒｃｕｉｔ  Ｂｏａｒｄ、プリント回路基板）上に配置され、電話装置１０３の電気信号変換部８０４と電気的に接続されている。また、筐体開放検知部８０１の開閉部分は第２の筐体８０３と接しており、通常時、当該開閉部分が第２の筐体８０３に押されて筐体開放検知部８０１は閉じた状態にある。もし、不法侵入者等により第２の筐体８０３がこじ開けられ開放された場合、筐体開放検知部８０１の開閉部分が開き（スイッチ開状態となり）、第２の筐体８０３がこじ開けられたことを知ることが出来る。
【００７１】
図１１において、筐体開放検知部８０１の開閉部分が開いたことは電圧比較回路８０８における基準電圧ｂとノード電圧ａとの比較により、電気信号変換部８０４で電気信号に変換され、電圧比較回路８０８から緊急事態監視システム起動部８０５へ筐体開放検知信号ｃが出力される。緊急事態監視システム起動部８０５は、当該筐体開放検知信号ｃを受け取ると、緊急事態監視システム１０２を直ちに起動する。もし第２の筐体８０３が元の状態に戻されても、緊急事態監視システム１０２が解除されることはない。
【００７２】
以上のように本実施の形態によれば、筐体の開閉を検知する筐体開放検知部８０１と、検知した筐体の開閉を電気信号に変換して基準電圧と比較する電圧比較回路８０８と、比較の結果が筐体の開状態を示している場合には緊急事態監視システム１０２を起動する緊急事態監視システム起動部８０５とを有することにより、不法侵入者等による筐体のこじ開けを検知することで自動的に緊急事態監視システム１０２を起動することができる。
【産業上の利用可能性】
【００７３】
本発明は、ホームセキュリティシステム等の緊急事態監視システムに接続された電話装置、および、その電話装置とその電話装置と無線通信可能な無線電話装置とから成る無線電話システムに関し、緊急事態監視システムの起動解除を行える範囲を拡大することができる。
【図面の簡単な説明】
【００７４】
【図１】本発明の実施の形態１による電話装置を有する無線電話システムと緊急事態監視システムとを示すブロック図
【図２】図１の電話装置を示すブロック図
【図３】（ａ）本発明の実施の形態２による電話装置を示す構成図、（ｂ）本発明の実施の形態２による電話装置を示すブロック図
【図４】本発明の実施の形態３による電話装置を示す構成図
【図５】本発明の実施の形態４による電話装置を示す構成図
【図６】電話装置と回線接続制御装置とのやり取りを示すシーケンス図
【図７】本発明の実施の形態５による電話装置を示す構成図
【図８】図７の電話装置の動作を示すシーケンス図
【図９】本発明の実施の形態６による無線電話システムを示す回路図
【図１０】本発明の実施の形態７による電話装置を示す外形図
【図１１】本発明の実施の形態７による電話装置を示す回路図
【符号の説明】
【００７５】
１０１    無線電話システム
１０２    緊急事態監視システム
１０３、３０１    電話装置
１０４    無線電話装置
１０５    緊急事態監視システム制御装置
１０６    センサー
１０７    公衆回線
２０１    無線信号受信部
２０２    無線信号正当性検証部
２０３    記憶部
２０４    無線信号レベル比較部
２０５、３０７    緊急事態監視システム起動解除部
３０２    処理装置
３０３    ＤＴＭＦ検出部
３０４    制御部
３０５    認証部
３０６    遠隔制御情報保持部
４０１    個人情報保持カード
４０２    個人情報読み取り装置
５０１    回線接続制御装置
７０１、８０８    電圧比較回路
７０２、７０５    無線信号送受信部
７０３    内蔵電池
７０４    基準電圧発生部
７０６、８０５    緊急事態監視システム起動部
８０１    筐体開放検知部
８０２    第１の筐体
８０３    第２の筐体
８０４    電気信号変換部
８０６    基準電圧発生部
８０７    抵抗器
８０９    ノード
【図１】
2005151220.tif 000006
【図２】
2005151220.tif 000007
【図３】
2005151220.tif 000008
【図４】
2005151220.tif 000009
【図５】
2005151220.tif 000010
【図６】
2005151220.tif 000011
【図７】
2005151220.tif 000012
【図８】
2005151220.tif 000013
【図９】
2005151220.tif 000014
【図１０】
2005151220.tif 000015
【図１１】
2005151220.tif 000016